(57)【要約】【課題】  漏電遮断器の一次側を停電させること無く施工が可能な感震リレー装置を提供する。【解決手段】  地震を検出する感震センサ１４と、疑似漏洩電流発生部１５と、感震センサ１４が検知した震度が所定値以上であったら疑似漏洩電流発生部１５から疑似漏洩電流を発生させて漏電遮断器３を遮断動作させる制御部２０とを有し、単相３線式電路の中性極Ｎに接続するＮ端子１２と、２つの電圧極Ｌ１，Ｌ２のうちの一方に接続するＬ端子１１と、接地極Ｅに接続するＥ端子１３と、Ｎ端子１２とＬ端子１１とが逆接続されたらそれを通知する表示部１７とを具備し、疑似漏洩電流はＥ端子１３から出力する。【選択図】  図１
2020092541.tif 000002
【特許請求の範囲】
【請求項１】
地震を検出する感震センサと、疑似漏洩電流発生部と、前記感震センサが検知した震度が所定値以上であったら前記疑似漏洩電流発生部から疑似漏洩電流を発生させて漏電遮断器を遮断動作させる制御部とを有する感震リレー装置であって、
単相３線式電路の中性極に接続するＮ端子と、２つの電圧極のうちの一方に接続するＬ端子と、接地極に接続するＥ端子と、前記Ｎ端子と前記Ｌ端子とが逆接続されたらそれを通知する通知部とを具備し、
発生させた前記疑似漏洩電流は、前記Ｅ端子から出力されることを特徴とする感震リレー装置。
【請求項２】
前記Ｌ端子と前記Ｎ端子との間の電圧、及び前記Ｌ端子と前記Ｅ端子との間の電圧を検出して接続を判定する電圧検出部を有し、
前記通知部は、前記電圧検出部の判定を受けて通知することを特徴とする請求項１記載の感震リレー装置。
【請求項３】
前記通知部は、メッセージを表示する表示部を有して結線状態をメッセージで表示することを特徴とする請求項１又は２記載の感震リレー装置。
【発明の詳細な説明】
【技術分野】
【０００１】
本発明は、分電盤或いはその周辺に設置して地震が発生したら分電盤に組み付けられている漏電遮断器を遮断動作させる感震リレー装置に関する。
【背景技術】
【０００２】
地震が発生したら電路を遮断させて電気火災の発生を防止する感震リレーが普及している。例えば特許文献１には、感震リレーが分電盤内に設置され、地震が発生したら感震リレーがそれを検知し、検知した震度が設定震度を超えたら内部に設けられているリレーが動作して疑似漏電を発生させ、漏電遮断器を遮断動作させる構成が開示されている。
【先行技術文献】
【特許文献】
【０００３】
【特許文献１】特開２０１７−３４９０９号公報
【発明の概要】
【発明が解決しようとする課題】
【０００４】
上記感震リレーを既設の分電盤に取り付ける場合は、漏電遮断器の一次側への施工が必要となる。しかしながら、主幹ブレーカでもある漏電遮断器の一次側は電力量計からの引き込み線であり、取り付けの際は電力量計の二次側を停電させる処置が必要であり、作業が面倒であった。
【０００５】
そこで、本発明はこのような問題点に鑑み、漏電遮断器の一次側を停電させること無く施工が可能な感震リレー装置を提供することを目的としている。
【課題を解決するための手段】
【０００６】
上記課題を解決する為に、請求項１の発明は、地震を検出する感震センサと、疑似漏洩電流発生部と、感震センサが検知した震度が所定値以上であったら疑似漏洩電流発生部から疑似漏洩電流を発生させて漏電遮断器を遮断動作させる制御部とを有する感震リレー装置であって、単相３線式電路の中性極に接続するＮ端子と、２つの電圧極のうちの一方に接続するＬ端子と、接地極に接続するＥ端子と、Ｎ端子とＬ端子とが逆接続されたらそれを通知する通知部とを具備し、発生させた疑似漏洩電流は、Ｅ端子から出力されることを特徴とする。
この構成によれば、中性極及び電圧極に加えて接地極に接続する端子を有するため、漏電遮断器の二次側の電路に対して各端子を接続して接続を完了させることが可能であり、漏電遮断器の一次側に接続せずに済む。よって、漏電遮断器を遮断操作するだけで接続作業でき、漏電遮断器の一次側を停電させる必要がない。そして、Ｎ端子とＬ端子とが逆接続された場合は、それが通知されるため結線間違いを把握できる。
尚、接地極とは中性線とは独立した極で、接地線が接続された端子（極）をいう。
【０００７】
請求項２の発明は、請求項１に記載の構成において、Ｌ端子とＮ端子との間の電圧、及びＬ端子とＥ端子との間の電圧を検出して接続を判定する電圧検出部を有し、通知部は、電圧検出部の判定を受けて通知することを特徴とする。
この構成によれば、Ｌ端子とＮ端子との間の電圧、及びＬ端子とＥ端子との間の電圧を検出することで、Ｌ端子とＮ端子とが逆接続された場合は、検出電圧からそれを認識でき、簡易な構成でＮ端子とＬ端子の逆接続を検出できる。
【０００８】
請求項３の発明は、請求項１又は２に記載の構成において、通知部は、メッセージを表示する表示部を有して結線状態をメッセージで表示することを特徴とする。
この構成によれば、結線状態がメッセージで表示されることで、結線状況を把握し易い。
【発明の効果】
【０００９】
本発明によれば、中性極及び電圧極に加えて接地極に接続する端子を有するため、漏電遮断器の二次側の電路に対して各端子を接続して接続を完了させることができ、漏電遮断器の一次側に接続せずに済む。よって、漏電遮断器を遮断操作するだけで接続作業でき、漏電遮断器の一次側を停電させる必要がない。そして、Ｎ端子とＬ端子とが逆接続された場合は、それが通知されるため結線間違いを把握できる。
【図面の簡単な説明】
【００１０】
【図１】本発明に係る感震リレー装置の一例を示すブロック図である。
【図２】感震リレーを正常に結線した状態の接続図である。
【図３】Ｌ端子とＮ端子とが逆接続された状態の接続図である。
【図４】Ｌ端子とＥ端子とが逆接続された状態の接続図である。
【図５】Ｎ端子とＥ端子とが逆接続された状態の接続図である。
【発明を実施するための形態】
【００１１】
以下、本発明を具体化した実施の形態を、図面を参照して詳細に説明する。図１は本発明に係る感震リレー装置の一例を示すブロック図である。図１に示すように、感震リレー装置１は、単相３線式電路の２つの電圧極Ｌ（Ｌ１，Ｌ２）のうちの一方の電圧極に接続するＬ端子１１、中性極Ｎに接続するＮ端子１２、そして接地極Ｅに接続するＥ端子１３の３端子を有している。
【００１２】
そして、所定震度以上の地震を検出したら検知信号を出力する感震センサ１４、疑似漏洩電流を発生させる疑似漏洩電流発生部１５、各端子の電圧を検出して接続状態を判定する電圧検出部１６、端子の接続状態を表示する表示部１７、Ｎ端子１２とＥ端子１３を接続させる接点１８、疑似漏電を発生操作するテストスイッチ１９、各回路を制御すると共に接点１８を制御する制御部２０、電源部２１を有している。
【００１３】
疑似漏洩電流発生部１５は、疑似漏洩電流を発生させる疑似漏洩電流発生回路２２と、Ｅ端子１３と他の端子とを確実に絶縁するためのトランス２３とを備え、トランス２３の二次側の一端にＥ端子１３が配置されている。また、このトランス２３の二次側の他端がＮ端子１２に接点１８を介して接続されている。
【００１４】
電圧検出部１６は、Ｌ端子１１とＮ端子１２の間の電圧、及びＬ端子１１とＥ端子１３の間の電圧を検出し、接続状態を判断して判断結果を表示部１７に出力する。
表示部１７は、液晶表示部（図示せず）を有すると共に、液晶表示部に表示する複数種類のメッセージ情報を記憶し、電圧検出部１６の出力信号に基づいて表示動作する。
【００１５】
制御部２０は、感震センサ１４が検知信号を出力したら、その信号を基に疑似漏洩電流発生部１５から疑似漏洩電流を発生させる。
また電源部２１は、Ｌ端子１１とＮ端子１２との間に配置され、この両端子から電源の供給を受ける。
【００１６】
以下、電圧検出部１６、表示部１７の動作を具体的に説明する。
図２〜５は感震リレー装置１の異なる接続例を示し、図２は正しい接続状態、図３〜５は間違った接続状態を示している。各図において、２は分電盤、３は漏電遮断器、４はＤ種接地が成された接地線４ａが接続された集中接地端子、５は架空配設された商用電力線が接続される柱上トランス、５ａは柱上トランス５に成されたＢ種接地が成された接地線を示している。
尚、感震リレー装置１は、分電盤２の近傍に設置した状態を示している。また、Ｌ１，Ｌ２は電圧極、Ｎは中性極を示し、集中接地端子４が接地極Ｅである。
【００１７】
図２に示す正しい接続状態では、Ｌ端子１１とＮ端子１２との間の電圧が１００Ｖ、Ｌ端子１１とＥ端子１３との間の電圧が１００Ｖであり、電圧検出部１６がそれを検出する。この結果、同一の電圧を検出することで、予め登録された電圧であることで正しい接続であると認識し、正常である旨の信号（ａ信号）が表示部１７に出力される。
表示部１７では、このａ信号を受けて、例えば「運転中」と表示する。
【００１８】
図３はＬ端子１１とＮ端子１２とが逆に接続された状態を示している。この場合は、Ｌ端子１１とＮ端子１２との間の電圧が１００Ｖ、Ｌ端子１１とＥ端子１３との間の電圧が０Ｖとなり、電圧検出部１６がそれを検出する。この結果、Ｌ端子１１とＥ端子１３との間の電圧が正しくないことを認識し、結線が間違っている旨の信号（ｂ信号）が表示部１７に出力される。
表示部１７では、このｂ信号を受けて、例えば「結線を確認してください」が表示される。尚、このときの表示は「Ｌ、Ｎ端子を確認してください」でも良い。
【００１９】
図４はＬ端子１１とＥ端子１３とが逆に接続された状態を示している。この場合は、Ｌ端子１１とＮ端子１２との間の電圧が０Ｖとなるため、電源部２１に電力が供給されない。そのため、感震リレー装置１は動作せず表示部１７は表示動作しない。この状態から、結線が間違っていることを把握できる。
また、Ｌ端子１１にＮ極が接続され、Ｎ端子にＥ極が接続された場合も同様に回路は動作しないため、表示部１７は表示動作しない。この状態から、結線間違いであることを把握できる。
【００２０】
図５はＮ端子１２とＥ端子１３とが逆に接続された状態を示している。この場合は、感震リレー装置１を介してＬ端子１１が接続された電圧極Ｌ１と接地極Ｅとの間で電路が形成されるため地絡状態となり、投入操作された漏電遮断器３は即遮断動作する。よって、この遮断動作により結線間違いであることを把握できる。
また、Ｌ端子１１に接地極Ｅが接続され、Ｎ端子１２に電圧極（Ｌ１或いはＬ２）が接続された場合も同様に地絡状態となるため、漏電遮断器３が投入操作されたら即遮断動作する。よって、この遮断動作により結線間違いであることを把握できる。
【００２１】
そして、図２に示す正しい接続状態では、地震が発生した際次のように動作する。
所定震度以上の地震が発生すると、感震センサ１４がそれを検知して検知信号を出力する。この信号を受けた制御部２０は疑似漏洩電流発生部１５を起動し、接点１８を閉操作する。この結果、トランス２３の二次側に電圧が発生して電流が流れ、Ｅ端子１３、集中接地端子４から接地線４ａに電流（漏電電流）が流れる。結果、感震リレー装置１のＥ端子１３、Ｄ種接地点、地面を介してＢ種接地が成された接地線５ａに電流が流れ、柱上トランス５の中性極Ｎを介して感震リレー装置１のＮ端子１２、そしてＥ端子１３に電流が流れる回路が形成され、漏電遮断器３が遮断動作する。
【００２２】
但し、上述したようにＤ種接地点を疑似漏洩電流が流れるため、Ｄ種接地に不備があれば正常接続状態で疑似漏洩電流を発生させても漏電遮断器３が動作しない場合が発生する。そのため、正常に接続された状態で漏電遮断器３が動作しない場合は、症状からＤ種接地が不備であることを把握することができる。
【００２３】
このように、中性極Ｎ及び電圧極Ｌに加えて接地極Ｅに接続する端子を有するため、漏電遮断器３の二次側の電路に対して各端子を接続して接続を完了させることができ、漏電遮断器３の一次側に接続せずに済む。よって、漏電遮断器３を遮断操作するだけで接続作業でき、漏電遮断器３の一次側を停電させる必要がない。そして、Ｎ端子１２とＬ端子１１とが逆接続された場合は、それが通知されるため結線間違いを把握できる。
また、Ｌ端子１１とＮ端子１２との間の電圧、及びＬ端子１１とＥ端子１３との間の電圧を検出することで、Ｌ端子１１とＮ端子１２とが逆接続された場合は検出電圧からそれを認識でき、簡易な構成でＮ端子とＬ端子の逆接続を検出できる。
そして、結線状態がメッセージで表示されることで、結線状況を把握し易い。
【００２４】
尚、上記実施形態では、通知部を液晶表示部から成る表示部１７としてメッセージを表示可能としいるが、音声メッセージにより通知しても良いし、単に誤結線である場合は警報音を鳴動するブザーを設けても良い。
また感震リレー装置１は、分電盤２の近傍に設置した状態を示しているが、分電盤２の内部に組み込んでも良い。更には、集中接地端子４に接続された接地線が引き込まれていれば、電源コンセント等を設けるためのスイッチボックス（図示せず）内に組み込むこともできる。
【符号の説明】
【００２５】
１・・感震リレー装置、２・・分電盤、３・・漏電遮断器、４・・集中接地端子（接地極Ｅ）、１１・・Ｌ端子、１２・・Ｎ端子、１３・・Ｅ端子、１４・・感震センサ、１５・・疑似漏洩電流発生部、１６・・電圧検出部、１７・・表示部（通知部）、１８・・接点、２０・・制御部、２２・・疑似漏洩電流発生回路、２３・・トランス。
【図１】
2020092541.tif 000003
【図２】
2020092541.tif 000004
【図３】
2020092541.tif 000005
【図４】
2020092541.tif 000006
【図５】
2020092541.tif 000007